(57)【要約】【課題】  多数の監視カメラ装置で撮影され符号化された映像情報を監視カメラ装置よりも少ない台数の映像復号装置で復号処理し、映像が途切れないように表示させる監視映像表示システムおよび監視映像切替方法を提供する。【解決手段】  実施形態によれば、映像復号装置は、表示切替秒数あたりの復号処理秒数として算出される切り上げ整数値に１を加えた数分の台数が設置され、複数の監視カメラ装置で撮影され符号化された映像情報を復号処理秒数で復号処理する。また映像切替器は、復号された映像信号を表示切替間隔で順次切り替えて出力する。また制御装置は、複数の映像符号化装置から送出された符号化映像信号が順に、映像復号装置で巡回して表示切替間隔で受信されるように、各映像復号装置に受信制御信号を送出するとともに、映像復号装置で順次復号された映像信号が、表示切替間隔で表示装置に出力されるように、映像切替器に出力制御信号を送出する。【選択図】図１
2012060354.tif 000002
【特許請求の範囲】
【請求項１】
複数の監視カメラ装置で撮影された映像情報を、１台の表示装置で所定の表示切替秒数間隔で順次切り替えて表示する監視映像表示システムにおいて、
前記複数の監視カメラ装置にそれぞれ対応して接続され、接続された監視カメラ装置で撮影され生成された映像信号を取得して符号化映像信号に変換する複数の映像符号化装置と、
前記映像符号化装置で変換された符号化映像信号を所定の復号処理秒数で復号処理する、前記表示切替秒数あたりの前記復号処理秒数として算出される切り上げ整数値に１を加えた数分の映像復号装置と、
前記映像復号装置で復号された映像信号を、前記表示切替間隔で順次切り替えて出力する映像切替器と、
前記複数の映像符号化装置から送出された符号化映像信号が順に、前記映像復号装置で巡回して前記表示切替間隔で受信されるように、前記各映像復号装置に受信制御信号を送出するとともに、前記映像復号装置で順次復号された映像信号が、前記表示切替間隔で前記表示装置に出力されるように、前記映像切替器に出力制御信号を送出する制御装置と、
を備えることを特徴とする監視映像表示システム。
【請求項２】
前記制御装置は、外部から切替処理の停止操作が行われたときに、前記複数の映像復号装置への受信制御信号の送信および前記映像切替器への出力制御信号の送信を停止する
ことを特徴とする請求項１に記載の監視映像表示システム。
【請求項３】
複数の監視カメラ装置で撮影された映像情報を、１台の表示装置で所定の表示切替秒数間隔で順次切り替えて表示し、
前記複数の監視カメラ装置にそれぞれ対応して接続され、接続された監視カメラ装置で撮影され生成された映像信号を取得して符号化映像信号に変換する複数の映像符号化装置と、
前記映像符号化装置で変換された符号化映像信号を所定の復号処理秒数で復号処理する、前記表示切替秒数あたりの前記復号処理秒数として算出される切り上げ整数値に１を加えた数分の映像復号装置と、
前記映像復号装置で復号された映像信号を、前記表示切替間隔で順次切り替えて前記表示装置に出力する映像切替器と
を備えた監視映像表示システムの制御装置が、
前記複数の映像符号化装置から送出された符号化映像信号が順に、前記映像復号装置で巡回して前記表示切替間隔で受信されるように、前記各映像復号装置に受信制御信号を送出するとともに、前記映像復号装置で順次復号された映像信号が、前記表示切替間隔で前記表示装置に出力されるように、前記映像切替器に出力制御信号を送出する
ことを特徴とする監視映像表示方法。
【請求項４】
前記制御装置は、外部から切替処理の停止操作が行われたときに、前記複数の映像復号装置への受信制御信号の送信および前記映像切替器への出力制御信号の送信を停止する
ことを特徴とする請求項３に記載の監視映像表示方法。
【発明の詳細な説明】
【技術分野】
【０００１】
本発明の実施形態は、監視映像表示システムおよび監視映像表示方法に関する。
【背景技術】
【０００２】
従来、ＣＣＴＶ（Closed Circuit Television）を用いた監視カメラシステムにおいては、複数の監視カメラ装置で撮影された映像を、自動切替処理により所定時間間隔で切り替えて表示するのが一般的である。
【０００３】
例えば、図６に示すＣＣＴＶシステム１００のように、Ｎ台の監視カメラ装置＃１〜＃Ｎで撮影された情報をアナログ映像信号で送受信する場合には、撮影により生成されたアナログ映像信号が、制御装置１１０の制御により映像切替器１２０で所定時間間隔で切り替えられてモニタ１３０に表示されている。
【０００４】
ここでアナログ映像信号が切り替えられる際には、モニタ１３０の表示に１フレーム分（例えば１／３０秒）のずれによる映像断が生じるが、これはごく短い時間であるため１〜２秒間隔で映像信号を切り替えて表示させる上では運用上問題はない。
【０００５】
一方、図７に示すＣＣＴＶシステム２００のように、Ｎ台の監視カメラ装置＃１〜＃Ｎで撮影された情報をデジタル映像信号で送受信する場合には、撮影により生成されたアナログ映像信号が、各監視カメラ装置に接続された映像符号化装置２１０−１〜２１０−Ｎでデジタル映像信号に変換及びＩＰ信号化され、これがＩＰネットワーク２２０に送出される。
【０００６】
ＩＰネットワーク２２０に送出された符号化されたデジタル映像信号は、制御装置２３０の制御により映像復号装置２４０において所定時間間隔で切り替えられて受信され、アナログ映像信号に変換されてモニタ２５０に表示されている。
【０００７】
映像信号をデジタル化することにより、インターネットをはじめとする様々なＩＰネットワーク経由で簡単に映像信号を配信することができるため構築が容易になり、また高品質な映像を提供することができる。
【先行技術文献】
【特許文献】
【０００８】
【特許文献１】特開２０１０−７４３８２号公報
【発明の概要】
【発明が解決しようとする課題】
【０００９】
ところが、図７に示すＣＣＴＶシステム２００のようにＩＰネットワーク２２０を利用してデジタル映像信号で送受信する場合には、映像復号装置２４０における復号処理に１〜２秒程度の時間を要するため、映像切り替え時にその復号処理時間分の映像断が生じる。これにより、１〜２秒間隔で切り替え表示を行おうとすると、モニタ２５０には映像が表示されなくなってしまう。
【００１０】
そこで、図８のＣＣＴＶシステム３００のように、映像復号装置を、映像符号化装置３１０−１〜３１０−Ｎに対応してＮ台設置し、各映像復号装置３３０−１〜３３０−Ｎで、それぞれ受信した符号化されたデジタル映像信号をアナログ映像信号に変換し、制御装置３４０の制御により映像切替器３５０で所定時間間隔で切り替えてモニタ３６０に表示することで、切替処理による映像断が発生しないようにすることができる。
【００１１】
しかし、一般的にＣＣＴＶシステムにおける監視カメラ装置の台数は２０〜３０台程度もあり、図８のように映像符号化装置、映像復号装置ともに監視カメラ装置と同じ台数を設置しようとするとコストが高くなるとともに設置スペースが多く必要であるという問題があった。
【００１２】
本発明は上記事情に鑑みてなされたものであり、多数の監視カメラ装置で撮影され符号化されたデジタル映像情報を監視カメラ装置よりも少ない台数の映像復号装置で復号処理し、映像が途切れないように表示させることが可能な監視映像表示システムおよび監視映像表示方法を提供することを目的とする。
【課題を解決するための手段】
【００１３】
上記目的を達成するための実施形態によれば、映像復号装置は、表示切替秒数あたりの復号処理秒数として算出される切り上げ整数値に１を加えた数分の台数が設置され、複数の監視カメラ装置で撮影され符号化された映像情報を復号処理秒数で復号処理する。また映像切替器は、復号された映像信号を表示切替間隔で順次切り替えて出力する。また制御装置は、複数の映像符号化装置から送出された符号化映像信号が順に、映像復号装置で巡回して表示切替間隔で受信されるように、各映像復号装置に受信制御信号を送出するとともに、映像復号装置で順次復号された映像信号が、表示切替間隔で表示装置に出力されるように、映像切替器に出力制御信号を送出する。
【図面の簡単な説明】
【００１４】
【図１】一実施形態による監視映像表示システムの構成を示す全体図である。
【図２】一実施形態による監視映像表示システムの制御装置の構成を示すブロック図である。
【図３】一実施形態による監視映像表示システムの制御装置に記憶された制御テーブルの一例を示す説明図である。
【図４】一実施形態による監視映像表示システムの動作を示すフローチャートである。
【図５】一実施形態による監視映像表示システムの動作を示す説明図である。
【図６】従来のＣＣＴＶシステムの構成を示す全体図である。
【図７】従来の他のＣＣＴＶシステムの構成を示す全体図である。
【図８】従来の他のＣＣＴＶシステムの構成を示す全体図である。
【発明を実施するための形態】
【００１５】
〈一実施形態によるＣＣＴＶシステムの構成〉
本発明の一実施形態による監視映像表示システムとしてのＣＣＴＶシステムの構成について説明する。
【００１６】
本実施形態によるＣＣＴＶシステムは、複数台の監視カメラ装置にそれぞれ対応して設置された複数台の映像符号化装置と、これらの映像符号化装置にＩＰネットワークを介して接続された複数台の映像復号装置と、これらの映像復号装置に接続された１台の映像切替器と、この映像切替器に接続されたモニタとを有する。
【００１７】
本実施形態において、映像復号装置は映像符号化装置よりも少なく、且つ下記式（１）を満たす数分の台数が設置されるものとする。
【００１８】
〔数１〕
映像復号装置数（台）＝１＋［復号処理時間（秒）÷表示切替間隔（秒）］・・・（１）
ここで、「復号処理時間（秒）」とは、各映像復号装置において復号処理に要する時間（例えば２秒）であり、「表示切替間隔（秒）」とは、映像切替器でモニタに出力する映像信号を切り替える時間間隔（例えば１秒）」である。また、［復号処理時間（秒）÷表示切替間隔（秒）］で算出される値が小数になる場合は整数値に切り上げられる。
【００１９】
この式（１）中の、［復号処理時間（秒）÷表示切替間隔（秒）］により、一の映像信号の表示期間中に一の映像信号の復号を完了させるために必要な映像復号装置の台数が算出され、これに「１」が加えられることで表示に用いる映像復号装置を確保できる。そのため式（１）により、表示切替間隔ごとに確実に１つの映像信号の復号処理および１つの映像信号の表示処理を可能にするための映像復号装置の台数が算出できる。
【００２０】
本実施形態においては、復号処理時間を２秒、表示切替間隔を１秒として、映像復号装置が、上記式（１）により算出された３台（＝１＋［２（秒）÷１（秒）］）が設置されるものとする。
【００２１】
これにより、図１に示すＣＣＴＶシステム１は、３０台の監視カメラ装置＃１〜＃３０にそれぞれ対応して接続された３０台の映像符号化装置１０−１〜１０−３０と、映像符号化装置１０−１〜１０−３０にＩＰネットワーク２０を介して接続された３台の映像復号装置３０−１〜３０−３と、この映像復号装置３０−１〜３０−３に接続された映像切替器４０と、映像復号装置３０−１〜３０−３および映像切替器４０の動作を制御する制御装置５０と、映像切替器４０に接続されたモニタ６０とを備える。
【００２２】
映像符号化装置１０−１〜１０−３０は、それぞれ接続された監視カメラ装置＃１〜＃３０で撮影されて生成されたアナログ映像信号（ＮＴＳＣ：National Television Standards Committee）を取得して符号化デジタル映像信号に変換化する。そして、符号化デジタル映像信号を、ＩＰネットワーク２０に送出する。
【００２３】
本実施形態において、監視カメラ装置＃１で撮影されて生成されたアナログ映像信号をアナログ映像信号（＃１）、監視カメラ装置＃２で撮影されて生成されたアナログ映像信号をアナログ映像信号（＃２）、監視カメラ装置＃３で撮影されて生成されたアナログ映像信号をアナログ映像信号（＃３）、・・・監視カメラ装置＃３０で撮影されて生成されたアナログ映像信号をアナログ映像信号（＃３０）と記載するものとする。
【００２４】
また、アナログ映像信号（＃１）から変換された符号化デジタル映像信号を符号化デジタル映像信号（＃１）、アナログ映像信号（＃２）から変換された符号化デジタル映像信号を符号化デジタル映像信号（＃２）、アナログ映像信号（＃３）から変換された符号化デジタル映像信号を符号化デジタル映像信号（＃３）、・・・アナログ映像信号（＃３０）から変換された符号化デジタル映像信号を符号化デジタル映像信号（＃３０）と記載するものとする。
【００２５】
映像復号装置３０−１〜３０−３は、制御装置５０の制御により、映像符号化装置１０−１〜１０−３０からＩＰネットワーク２０に送出された符号化デジタル映像信号（＃１）〜（＃３０）を順次取得し、アナログ映像信号（＃１）〜（＃３０）に変換する。
【００２６】
映像切替器４０は、映像復号装置３０−１〜３０−３で復号されたアナログ映像信号（＃１）〜（＃３０）を、制御装置５０の制御により、表示切替間隔で順次切り替えてモニタ６０に出力する。
【００２７】
制御装置５０は、図２に示すように、制御テーブル記憶部５１と、復号制御部５２と、映像切替制御部５３とを有する。
【００２８】
制御テーブル記憶部５１は、映像復号装置３０−１〜３０−３の動作および映像切替器４０の動作を制御するための制御テーブルを記憶する。
【００２９】
復号制御部５２は、制御テーブル記憶部５１に記憶された制御テーブルに従って、映像復号装置３０−１〜３０−３の動作を制御する。
【００３０】
映像切替制御部５３は、制御テーブル記憶部５１に記憶された制御テーブルに従って、映像切替器４０の動作を制御する。
【００３１】
モニタ６０は、映像切替器４０で切り替えられて送出されたアナログ映像信号を表示する。
【００３２】
〈一実施形態によるＣＣＴＶシステムの動作〉
本実施形態によるＣＣＴＶシステム１が稼動するに際し、予め制御装置５０の制御テーブル記憶部５１に、映像復号装置３０−１〜３０−３の動作を制御するための情報、および映像切替器４０の動作を制御するための情報が格納された制御テーブルが記憶されている。
【００３３】
この制御テーブルに格納された映像復号装置３０−１〜３０−３の動作を制御する情報とは、映像符号化装置１０−１〜１０−３０から送出された符号化デジタル映像信号（＃１）〜（＃３０）が順に、映像復号装置３０−１〜３０−３で巡回して表示切替間隔で受信されるように、各映像復号装置３０−１〜３０−３に受信制御信号を送出する受信スケジュール情報である。
【００３４】
また、制御テーブルに格納された映像切替器４０の動作を制御する情報とは、映像復号装置３０−１〜３０−３で順次復号されたアナログ映像信号（＃１）〜（＃３０）が表示切替間隔でモニタ６０に出力されるように、映像切替器４０に出力制御信号を送出する出力スケジュール情報である。
【００３５】
この制御テーブルの一例を、図３に示す。図３の制御テーブルには、受信スケジュール情報として、スタート時（０秒）に、映像符号化装置１０−１から送出された符号化デジタル映像信号（＃１）を映像復号装置３０−１に受信させる受信制御信号を送出し、１秒後に、映像符号化装置１０−２から送出された符号化デジタル映像信号（＃２）を映像復号装置３０−２に受信させる受信制御信号を送出し、２秒後に、映像符号化装置１０−３から送出された符号化デジタル映像信号（＃３）を映像復号装置３０−３に受信させる受信制御信号を送出し、３秒後に、映像符号化装置１０−４から送出された符号化デジタル映像信号（＃４）を映像復号装置３０−１に受信させる受信制御信号を送出し、・・・２９秒後に、映像符号化装置１０−３０から送出された符号化デジタル映像信号（＃３０）を映像復号装置３０−３に受信させる受信制御信号を送出し、３０秒後に、映像符号化装置１０−１から送出された符号化デジタル映像信号（＃１）に戻って映像復号装置３０−１に受信させる受信制御信号を送出するように、処理を順次繰り返すためのスケジュール情報が格納されている。
【００３６】
また、出力スケジュール情報として、最初のスタート時（０秒）に受信制御信号を送出したことにより映像復号装置３０−１で復号されたアナログ映像信号（＃１）を、復号処理時間（２秒）経過後であるスタート時から２秒後に映像切替器４０から出力させる出力制御信号を送出し、１秒後に受信制御信号を送出したことにより映像復号装置３０−２で復号されたアナログ映像信号（＃２）を、復号処理時間（２秒）経過後であるスタート時から３秒後に映像切替器４０から出力させる出力制御信号を送出し、２秒後に受信制御信号を送出したことにより映像復号装置３０−３で復号されたアナログ映像信号（＃３）を、復号処理時間（２秒）経過後であるスタート時から４秒後に映像切替器４０から出力させる出力制御信号を送出し、・・・２９秒後に受信制御信号を送出したことにより映像復号装置３０−３で復号されたアナログ映像信号（＃３０）を、復号処理時間（２秒）経過後であるスタート時から３１秒後に映像切替器４０から出力させる出力制御信号を送出し、３０秒後に受信制御信号を送出したことにより映像復号装置３０−１で復号されたアナログ映像信号（＃１）を、復号処理時間（２秒）経過後であるスタート時から３２秒後に映像切替器４０から出力させる出力制御信号を送出するように、処理を順次繰り返すためのスケジュール情報が格納されている。
【００３７】
このように制御テーブルが記憶されている状態で、ＣＣＴＶシステム１が稼動されたときの動作を、図４のフローチャートを参照して説明する。
【００３８】
まず、映像符号化装置１０−１〜１０−３０において、それぞれ接続された監視カメラ装置＃１〜＃３０で撮影されて生成されたアナログ映像信号（＃１）〜（＃３０）が取得されて（Ｓ１）符号化デジタル映像信号（＃１）〜（＃３０）に変換される（Ｓ２）。そして、生成された符号化デジタル映像信号（＃１）〜（＃３０）が、ＩＰネットワーク２０に送出される（Ｓ３）。
【００３９】
次に、ＩＰネットワーク２０に送出された符号化デジタル映像信号（＃１）〜（＃３０）が、制御装置５０の制御により映像復号装置３０−１〜３０−３で順次取得され、アナログ映像信号（＃１）〜（＃３０）に変換される（Ｓ４）。
【００４０】
ここで映像復号装置３０−１〜３０−３で符号化デジタル映像信号（＃１）〜（＃３０）が取得される際は、制御装置５０の制御テーブル記憶部５１に格納された図３の制御テーブルが参照され、復号制御部５２により各映像復号装置３０−１〜３０−３の受信処理が制御される。
【００４１】
具体的には、復号制御部５２の制御により、スタート時（０秒）に、映像符号化装置１０−１から送出された符号化デジタル映像信号（＃１）が映像復号装置３０−１で受信され、１秒後に、映像符号化装置１０−２から送出された符号化デジタル映像信号（＃２）が映像復号装置３０−２で受信され、２秒後に、映像符号化装置１０−３から送出された符号化デジタル映像信号（＃３）が映像復号装置３０−３で受信され、３秒後に、映像符号化装置１０−４から送出された符号化デジタル映像信号（＃４）が映像復号装置３０−１で受信され、・・・２９秒後に、映像符号化装置１０−３０から送出された符号化デジタル映像信号（＃３０）が映像復号装置３０−３で受信され、３０秒後に、映像符号化装置１０−１から送出された符号化デジタル映像信号（＃１）に戻って映像復号装置３０−１で受信される。
【００４２】
この際、上述したように映像復号装置の台数が「１＋［復号処理時間（秒）÷表示切替間隔（秒）］」の式（１）で算出されているため、一の映像復号装置において受信制御信号が受信されてから次の受信制御信号が受信されるまでの間に、一の映像信号の復号処理時間が確保される。
【００４３】
そして、各映像復号装置３０−１〜３０−３では、復号制御部５２の制御により符号化デジタル映像信号が受信されると復号処理が開始され、復号処理時間の２秒間の間に復号処理が完了される。
【００４４】
次に、映像復号装置３０−１〜３０−３で復号されたアナログ映像信号（＃１）〜（＃３０）が、制御装置５０の制御により映像切替器４０で、所定時間周期で巡回するように切り替えられてモニタ６０に出力され（Ｓ５）、表示される（Ｓ６）。
【００４５】
ここで映像切替器４０の切替処理によりアナログ映像信号（＃１）〜（＃３０）が出力される際は、制御装置５０の制御テーブル記憶部５１に格納された図３の制御テーブルが参照され、映像切替制御部５３により映像切替器４０の切替処理が制御される。
【００４６】
具体的には、図５に示すように、最初のスタート時（０秒）に受信制御信号が送出されたことにより映像復号装置３０−１でデジタル映像信号（＃１）の復号処理が２秒間で実行され、復号されたアナログ映像信号（＃１）が、復号処理時間（２秒）経過後であるスタート時から２秒後に映像切替器４０の切り替えによりモニタ６０に表示される。また、スタート時から１秒後に受信制御信号を送出したことにより映像復号装置３０−２でデジタル映像信号（＃２）の復号処理が２秒間で実行され、復号されたアナログ映像信号（＃２）が、復号処理時間（２秒）経過後であるスタート時から３秒後に映像切替器４０の切り替えによりモニタ６０に表示される。また、スタート時から２秒後に受信制御信号を送出したことにより映像復号装置３０−３でデジタル映像信号（＃３）の復号処理が２秒間で実行され、復号されたアナログ映像信号（＃３）が、復号処理時間（２秒）経過後であるスタート時から４秒後に映像切替器４０の切り替えによりモニタ６０に表示される。
【００４７】
このようにして順次映像信号の復号、切り替え表示が繰り返され、スタート時から２９秒後に映像復号装置３０−３にデジタル映像信号（＃３０）の復号処理が実行された後は、３０秒後に映像復号装置３０−１にデジタル映像信号（＃１）に戻って復号処理が実行される。
【００４８】
このように制御装置５０により制御されることにより、モニタ６０には、システムが稼動した２秒後から１秒間隔で、アナログ映像信号（＃１）→アナログ映像信号（＃２）→アナログ映像信号（＃３）→アナログ映像信号（＃４）・・・→アナログ映像信号（＃３０）→アナログ映像信号（＃１）のように、映像断が発生することなく切り替えられて表示される。
【００４９】
また、上述したように切り替えられながら映像信号が表示されているときに、不審者が確認された等により監視員が注目したい画像があったときには、当該映像情報が表示されているときに監視員が手動で切替処理の停止指示操作を行うことにより、制御装置５０による映像復号装置３０−１〜３０−３への受信制御信号の送信および映像切替器４０への出力制御信号の送信が停止され、当該映像情報がそのまま継続して表示される。
【００５０】
以上の本実施形態によれば、表示切替間隔が映像復号装置での復号処理時間よりも短い場合でも、多数の監視カメラ装置で撮影され符号化されたデジタル映像情報を監視カメラ装置よりも少ない台数の映像復号装置で復号処理し、映像が途切れないように表示させることが可能になる。
【００５１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５２】
１…ＣＣＴＶシステム
１０−１〜１０−３０…映像符号化装置
２０…ＩＰネットワーク
３０−１〜３０−３…映像復号装置
４０…映像切替器
５０…制御装置
５１…制御テーブル記憶部
５２…復号制御部
５３…映像切替制御部
６０…モニタ
【図１】
2012060354.tif 000003
【図２】
2012060354.tif 000004
【図３】
2012060354.tif 000005
【図４】
2012060354.tif 000006
【図５】
2012060354.tif 000007
【図６】
2012060354.tif 000008
【図７】
2012060354.tif 000009
【図８】
2012060354.tif 000010